(57)【特許請求の範囲】
【請求項１】
化粧料組成物を化粧料容器に充填してなる整髪用の化粧料であって、前記化粧料組成物が樹脂成分としてポリアクリル酸アルカノールアミン、加水分解コラーゲン、カチオン化ケラチン、カチオン化コラーゲン及びカチオン化セルロースから選択される１種乃至は２種以上を１０〜３５重量％と、エタノール６０〜８０重量％を含有し、前記化粧料容器が植毛部の長さが２０〜１５０ｍｍであるブラシ部を接合した蓋部と、シゴキ栓を有する、内容物を充填する部分の長さが植毛部の長さよりも長い内容物収納部とを有してなることを特徴とする、整髪用の化粧料。
【請求項２】
前髪を立たせるためのものであることを特徴とする、請求項１に記載の化粧料。
【請求項３】
樹脂成分がポリアクリル酸アルカノールアミンであることを特徴とする、請求項１又は２に記載の化粧料。
【請求項４】
ブラシの毛足の長さが３〜１０ｍｍであることを特徴とする、請求項１〜３の何れか１項に記載の化粧料。
【請求項５】
請求項１〜４の何れか１項に記載の化粧料を使用し、前記化粧料組成物を前記ブラシ部を用いて塗布することを特徴とする、整髪方法。
【請求項６】
前髪を立てることを特徴とする、請求項５に記載の整髪方法。
【発明の詳細な説明】
【０００１】
【発明の属する技術分野】
本発明は、毛髪用化粧料組成物、毛髪用化粧料容器及びそれらを組み合わせてなる毛髪用化粧料に関する。
【０００２】
【従来の技術】
ヘアースタイルは短いタイムスパンで大きく変化する、いわば、流行の移り変わりの激しい分野である。このことは、数年前のファッション雑誌などを見たときに、その雑誌中のモデルの髪型に何となく違和感を覚えることを考えれば頷けることであろう。又、この分野に於いて、特徴的なことは、服装などと異なり、過去のファッションの繰り返しが少なく、常に新しいモードが登場していることである。この様なヘアスタイルに於いて最近の傾向としては、前髪の処置が特徴的である。即ち、今までは前髪の処置は切りそろえたり、横へ流していたりしていたが、最近では垂直方向に立てて固めることが好まれるようになっている。この様な背景には、新規化粧料用の素材でこの様な整髪が可能になる素材が開発されたことが挙げられる。しかしながら、この様な新規素材は、従来の製剤に配合されているに留まり、その持っている特性が生かし切れていないのが現状であろう。この為、前髪を立たせる為にはヘアドライアー等を駆使して根気よく整髪するよりほかになかった。従って、前記のような前髪の整髪に於いても必ずしも使い勝手が良いとはいえないのも現状であろう。
【０００３】
一方、ポリアクリル酸アルカノールアミンは最近開発された水可溶性の樹脂成分であり、比較的堅い皮膜を作るので、堅く固定するような整髪材料として既に市販されているが、このものをエタノールとともに高濃度の溶液でブラシなどを用いて毛髪を立ち上げるのに使用することは全く行われていなかった。又、１）ブラシ部を接合した蓋部と、２）絞り栓を有する、内容物を充填する部分の長さが植毛部の長さよりも長い内容物収納部とを有してなる、整髪用の化粧料容器は既にマスカラやヘアマスカラ等のマスカラ類などに使用されているが、１）ブラシ部を接合した蓋部と、２）内容物タンクを有する内容物収納部とを有してなる、整髪用の化粧料容器であって、前記ブラシ部において植毛部分の長さが２０〜１５０ｍｍであり、前記内容物タンクはシゴキ栓を有し、かつ、前記内容物タンクの長さが前記ブラシ部の植毛部分の長さよりも長いことを特徴とする、整髪用の化粧料容器は全く知られていなかったし、この様なブラシを用いて前髪を整髪し、たたせることも全く行われていなかった。
【０００４】
【発明が解決しようとする課題】
本発明は、この様な状況をふまえて為されたものであり、ポリアクリル酸アルカノールアミンなどの樹脂成分の特性を生かし、前髪を立てるような整髪に好適な整髪料を提供することを課題とする。
【０００５】
【課題の解決手段】
この様な状況に鑑みて、本発明者らは、ポリアクリル酸アルカノールアミンなどの樹脂成分の特性を生かし、前髪を立てるような整髪に好適な整髪料を求めて鋭意研究努力を重ねた結果、１）樹脂成分を５〜３５重量％と２）エタノールを６０〜８０重量％とを含有することを特徴とする、毛髪用の化粧料組成物を、１）ブラシ部を接合した蓋部と、２）内容物タンクを有する内容物収納部とを有してなる、整髪用の化粧料容器であって、前記ブラシ部において植毛部分の長さが２０〜１５０ｍｍであり、前記内容物タンクはシゴキ栓を有し、かつ、前記内容物タンクの長さが前記ブラシ部の植毛部分の長さよりも長いことを特徴とする、整髪用の化粧料容器に充填・密閉した化粧料がこの様な操作に優れることを見いだし、発明を完成させるに至った。以下、本発明について、実施の形態を中心に詳細に説明を加える。
【０００６】
【発明の実施の形態】
（１）本発明の化粧料組成物
本発明の化粧料組成物は、１）樹脂成分を５〜３５重量％と２）エタノールを６０〜８０重量％とを含有することを特徴とする。ここで、樹脂分としては、通常化粧料で使用されている樹脂分であって、比較的堅い膜を形成し、エタノールに溶解するものであれば特段の限定無く使用することができ、例えば、ポリアクリル酸ジエタノールアミン、ポリアクリル酸トリエタノールアミン等のポリアクリル酸アルカノールアミンや加水分解コラーゲン、カチオン化ケラチン、カチオン化コラーゲン、カチオン化セルロース等から選ばれる１種乃至は２種以上が好ましく例示できる。これらの中で特に好ましいものはポリアクリル酸アルカノールアミンを主とするものである。ポリアクリル酸アルカノールアミンとしては、４０％エタノール溶液の形で市販されているプラサイズＬ−９５４０Ｂ（瓦応化学株式会社製）や３５％エタノール・イソプロパノール溶液の形で市販されているレインプロテクトポリマー（大成化工株式会社製）等が好ましく例示できる。この様な樹脂成分の含有量は前記のごとく５〜３５重量％が好ましく、更に好ましい範囲としては１０〜３５重量％があげられる。これは、樹脂分が少ないと毛髪固定に必要な樹脂量を塗布するためには多くの溶媒が存在してしまい、意図する形に固定することが難しくなる場合があり、樹脂分が多すぎると形を形成する前に樹脂分が固化してしまうことがあるからである。更に、エタノールについては速やかに気化する溶剤としての役割があり、このものの好ましい含有量は、６０〜８０重量％であり、更に好ましくは６５〜７５重量％である。これも樹脂分の量と同様、整髪性と固定性の兼ね合いからである。
【０００７】
本発明の化粧料組成物に於いては、上記の必須成分以外に、通常毛髪用の化粧料で使用されている、任意成分を含有することができる。この様な任意の成分としては、例えば、スクワラン、ワセリン、マイクロクリスタリンワックス等の炭化水素類、直鎖又は環状のジメチコン、アメチコン、ポリエーテル変性シリコーン、アクリル変性シリコーン等のシリコーン類、ホホバ油、カルナウバワックス、オレイン酸オクチルドデシル等のエステル類、オリーブ油、牛脂、椰子油等のトリグリセライド類、ステアリン酸、オレイン酸、リチノレイン酸等の脂肪酸、オレイルアルコール、ステアリルアルコール、オクチルドデカノール等の高級アルコール、スルホコハク酸エステルやポリオキシエチレンアルキル硫酸ナトリウム等のアニオン界面活性剤類、アルキルベタイン塩等の両性界面活性剤類、ジアルキルアンモニウム塩等のカチオン界面活性剤類、ソルビタン脂肪酸エステル、脂肪酸モノグリセライド、これらのポリオキシエチレン付加物、ポリオキシエチレンアルキルエーテル、ポリオキシエチレン脂肪酸エステル等の非イオン界面活性剤類、ポリエチレングリコール、グリセリン、１，３−ブタンジオール等の多価アルコール類、増粘・ゲル化剤、酸化防止剤、紫外線吸収剤、色剤、防腐剤、粉体等を例示することができる。この中で特に好ましいものは毛髪の濡れを改善する非イオン界面活性剤と皮膜の可塑性を調整する多価アルコールである。非イオン界面活性剤の含有量としては０．１〜５重量％が皮膜特性を損なわずに濡れを改善することができるので好ましく、多価アルコールの含有量としては１〜１０重量％が好ましい。又、ナイロン繊維を１〜５重量％含有させることも毛髪をはっきり見せる効果があるので好ましい。更に、整髪力を損なわずにベタツキを改善したり、なめらかさを付与したりすることから、環状或いは直鎖状の揮発性シリコーンを含有することが好ましい。揮発性の無いシリコーンである場合には、艶を与えたり、ベタツキを改善したり、なめらかさを付与することはできるが、整髪作用を損ねることがある。この様な不利な点が出ないならば、揮発性の無いシリコーンを使用することも可能である。しかしながら、好ましい態様は揮発性シリコーンを用いることである。この様な揮発性シリコーンとして好ましいものは、粘度が１０センチストークス以下のものや、デカメチルシクロペンタシロキサン等が好ましく例示できる。これらのシリコーン類の好ましい含有量は、０．１〜２０重量％である。
【０００８】
（２）本発明の毛髪用化粧料容器
本発明の毛髪用化粧料容器は、１）ブラシ部を接合した蓋部と、２）内容物タンクを有する内容物収納部とを有してなる、整髪用の化粧料容器であって、前記ブラシ部において植毛部分の長さが２０〜１５０ｍｍであり、前記内容物タンクはシゴキ栓を有し、かつ、前記内容物タンクの長さが前記ブラシ部の植毛部分の長さよりも長いことを特徴とする。ここで、植毛部分の長さは、前髪の処理をするためには２０〜１５０ｍｍが好ましく、更に好ましくは２５〜１００ｍｍである。又、毛足の長さは３〜１０ｍｍが好ましく、この様な形状をとることにより上記の化粧料組成物を薄く均一に塗布することができ、厚ぼったさを示さずにきれいに前髪が立つように整髪できるからである。この様に薄く塗布することにより、内容物より溶媒の揮散が速やかに行われ、毛髪が垂れる前に強い整髪力が得られる。又、この様に薄く均一に塗布することが重要であることから、ブラシ上に存在する化粧料組成物の量を絞る必要があり、この為にシゴキ栓を内容物収納部の上部に設けることが必要である。シゴキ栓としては、マスカラなどの分野で使用されているものを用いることができ、例えば、ゴムなどの弾性体にブラシの直径の１／３〜１／２の穴を設けた第一の部材と、ブラシの半径の１．２〜２倍の切れ目を２〜６本入れた第二の部材からなり、第一の部材の前記穴に第二の部材が装着されたシゴキ栓が好ましく例示できる。又、内容物を充分にブラシに付着させることが必要であり、この為に内容物の収納部はブラシの長さより長いことが必要である。
【０００９】
（３）本発明の化粧料・整髪方法
本発明の化粧料は、上記化粧料容器に上記化粧料組成物を充填してなることを特徴とする。この様な形態にすることにより、速乾性のある整髪料を素早く薄く塗布し、前髪などが倒れる前に立てて固定することができる。しかも、密閉容器であり、携帯性にも優れる。しかしながら、本発明の化粧料組成物をヘアブラシなどに少量とり、これで前髪を掻き上げるように梳かすことでも、簡便さや的確さは多少本発明の化粧料より劣るものの、従来技術に対して進歩性を有する整髪ができる。この様な整髪方法が、本発明の整髪法である。
【００１０】
【実施例】
以下に、実施例を挙げて更に詳細に説明を加えるが、本発明が、これら実施例にのみ限定を受けないことは言うまでもない。
【００１１】
＜実施例１＞
下記に示す処方に従って本発明の化粧料組成物１を作製した。即ち、処方成分を室温で良く攪拌・混合し化粧料組成物１を得た。このものを毛足４ｍｍの馬毛を２５ｍｍの長さに、直径１．５ｍｍのワイヤーに植毛したブラシを接合した蓋部と、外径１５ｍｍ（内径１２ｍｍ）で長さ４０ｍｍの内容物タンクを有する長さ８０ｍｍ外径１８ｍｍ（内径１５ｍｍ）の内容物収納部であって、内容物タンクの上部に、直径１２ｍｍのゴム板の中央に直径６ｍｍの孔を有する第一の部材の該孔に、直径６ｍｍの部材の中央に長さ４ｍｍの切れ目を等間隔に３本有する第二の部材を装着してなるシゴキ栓を装着したものからなる本発明の化粧料容器１に充填・密閉し本発明の化粧料１を得た。別途、化粧料組成物１のプラサイズＬ−９５４０Ｂ６０重量部の３０重量部をエタノールに置換した比較化粧料組成物１を作製し、これを化粧料容器１に充填・密閉し、比較化粧料１とした。化粧料１と比較化粧料１について、専門パネラーを使用して、前髪を立たせる効果について評価した。評価は前髪の立ち方のきれいさと操作のしやすさであった。これらの評価基準はそれぞれ、＋＋：非常によい、＋：良い、±：やや悪い、−：悪いであった。結果は、化粧料１は前髪立ちのきれいさも操作性の良さも＋＋であったが、比較化粧料１は前髪立ちが＋であり、操作性が±であった。これより、本発明の化粧料が前髪を立てる整髪に非常に好ましいこと及びその操作性も優れることがわかる。
（化粧料組成物１の処方）
プラサイズＬ−９５４０Ｂ                  ６０重量部
（ポリアクリル酸アルカノールアミン量      ２４重量部）
（エタノール                              ３６重量部）
エタノール                                ４０重量部
【００１２】
＜実施例２＞
本発明の化粧料組成物１を通常のヘアブラシにとり前髪を立たせる整髪に対する作用を実施例１と同様に専門パネラーを使用して評価した。結果は前髪を立たせる作用、操作性ともに＋であり、本発明の化粧料に劣るものの、従来の化粧料に比して優れていることがわかった。即ち、本発明の整髪方法は、前髪を立たせる整髪に好適であることがわかる。
【００１３】
＜実施例３＞
下記に示す処方で化粧料組成物２を作製し、化粧料容器１に充填・密閉し化粧料２を作製した。このものの前髪を立たせる作用を、前髪の立ち方のきれいさと操作性の良さの２項目で、化粧料１を対照に評価した。即ち、＋＋：化粧料１より著しく良い、＋：化粧料１より良い、±：化粧料１よりやや良い、−：化粧料１と同程度、−−：化粧料１より悪いの基準で評価した。評価結果は前髪の立ち方のきれいさが＋であり、操作性が±であった。これより、本発明の化粧料組成物には非イオン界面活性剤が含有されることが好ましいことがわかる。
（化粧料組成物２の処方）
プラサイズＬ−９５４０Ｂ                              ６０重量部
（ポリアクリル酸アルカノールアミン量                  ２４重量部）
（エタノール                                          ３６重量部）
エタノール                                              ３９重量部
ポリオキシエチレン（６０）硬化ひまし油                    １重量部
【００１４】
＜実施例４＞
下記に示す処方で化粧料組成物３を作製し、化粧料容器１に充填・密閉し化粧料３を作製した。このものの前髪を立たせる作用を、前髪の立ち方のきれいさと操作性の良さの２項目で、化粧料１を対照に評価した。即ち、＋＋：化粧料１より著しく良い、＋：化粧料１より良い、±：化粧料１よりやや良い、−：化粧料１と同程度、−−：化粧料１より悪いの基準で評価した。評価結果は前髪の立ち方のきれいさが＋であり、操作性が±であった。これより、本発明の化粧料組成物には多価アルコールが含有されることが好ましいことがわかる。
（化粧料組成物３の処方）
プラサイズＬ−９５４０Ｂ                              ６０重量部
（ポリアクリル酸アルカノールアミン量                  ２４重量部）
（エタノール                                          ３６重量部）
エタノール                                              ３９重量部
１，３−ブタンジオール                                    １重量部
【００１５】
＜実施例５＞
下記に示す処方で化粧料組成物４を作製し、化粧料容器１に充填・密閉し化粧料４を作製した。このものは前髪を整髪する作用に優れていた。
（化粧料組成物４の処方）
プラサイズＬ−９５４０Ｂ                  ８０重量部
（ポリアクリル酸アルカノールアミン量      ３２重量部）
（エタノール                              ４８重量部）
エタノール                                １９重量部
ポリオキシエチレン（６０）硬化ひまし油      １重量部
【００１６】
＜実施例６＞
下記に示す処方で化粧料組成物５を作製し、化粧料容器１に充填・密閉し化粧料５を作製した。このものも前髪の整髪に優れた特性を有していた。
（化粧料組成物５の処方）
レインプロテクトポリマー                              ７０重量部
（ポリアクリル酸アルカノールアミン量              ２４．５重量部）
（エタノール                                      ４２    重量部）
（イソプロパノール                                  ３．５重量部）
エタノール                                              ３９重量部
加水分解ケラチン                                          １重量部
【００１７】
＜実施例７＞
下記に示す処方で化粧料組成物６を作製し、化粧料容器１に充填・密閉し化粧料６を作製した。このものも前髪の整髪に優れた特性を有していた。更に加えて、このものは、生え際の白髪隠し効果も有しており、白髪のある人の前髪の整髪に大変好適であった。又、使用中に於けるなめらかさが非常に実感でき、揮発性シリコーンの添加効果が確認された。
（化粧料組成物６の処方）
Ｎ−メタクリロイルオキシエチレン−Ｎ，Ｎ−ジメチルアンモニウム
−α−Ｎ−メチルカルボキシベタイン・メタクリル酸アルキルエステル
共重合体                                                ２．１重量部
プラサイズＬ９５４０Ｂ                                ５０    重量部
（樹脂分                                              ２０    重量部
エタノール                                          ３０    重量部）
デカメチルシクロペンタシロキサン                      １５    重量部
ＰＯＥ（２）ラウリルエーテル                            １．５重量部
カーボンブラック                                        ０．１重量部
赤色４０４号                                            ０．５重量部
オレンジ２０５号                                        ０．５重量部
エタノール                                            ３０．３重量部
【００１８】
＜実施例８＞
下記に示す処方で化粧料組成物７を作製し、化粧料容器１に充填・密閉し化粧料７を作製した。このものも前髪の整髪に優れた特性を有していた。更に加えて、このものは、生え際の白髪隠し効果も有しており、白髪のある人の前髪の整髪に大変好適であった。又、使用中に於けるなめらかさが非常に実感でき揮発性シリコーンの添加効果が確認された。（化粧料組成物７の処方）
Ｎ−メタクリロイルオキシエチレン−Ｎ，Ｎ−ジメチルアンモニウム
−α−Ｎ−メチルカルボキシベタイン・メタクリル酸アルキルエステル
共重合体                                              ２．１重量部
プラサイズＬ９５４０Ｂ                              ５０    重量部
（樹脂分                                            ２０    重量部
エタノール                                        ３０    重量部）
デカメチルシクロペンタシロキサン                    １５    重量部
ＰＯＥ（２）ラウリルエーテル                          １．５重量部
カーボンブラック                                      １    重量部
エタノール                                          ３０．４重量部
【００１９】
【発明の効果】
本発明によれば、ポリアクリル酸アルカノールアミンなどの樹脂成分の特性を生かし、前髪を立てるような整髪に好適な整髪料を提供することができる。